(57)【要約】インターネットまたはイントラネットサイトのような電子文書グループをナビゲーションための対話式／電子ガイド（１０）であって、サイト内で識別したトピックの重要度の表示（１６）とともに、複数のトピック識別子（１４）を自動的に表示する。各トピック（１４、１６）はユーザが任意に選択できる。任意のトピック（１４、１６）を選択することでトピック情報へアクセスできる。好ましくは、ガイド（１０）は、コンテンツに潜在的相関性のある複数のサイトに関する情報を、それら複数サイト間のコンテンツの類似度表示と共に提供する。
2007527558.tif 000002
【特許請求の範囲】
【請求項１】
インターネットまたはイントラネットサイトのような電子文書グループをナビゲーションための対話式／電子ガイドであって、各トピックはユーザが任意に選択可能であり、グループ全体または一部で識別したトピックの重要度の表示とともに、複数のトピック識別子を自動的に表示し、ユーザがキーワード検索を実行しなくてもトピック識別子が表示され、任意のトピックを選択することでグループ内の選択したトピック情報へアクセスできるようにしたガイド。
【請求項２】
トピックを所定の順番で表示し、それによりグループ全体または一部におけるトピックの重要度を示す請求項１に記載のガイド。
【請求項３】
最重要トピックをリストの初めに表示し、最も重要度の低いトピックをリストの終わりに表示するようにして降順にトピックを表示する請求項２に記載のガイド。
【請求項４】
トピック識別子が一つまたは複数のキーワードまたはキーフレーズ識別子である請求項１〜３の何れかに記載のガイド。
【請求項５】
グラフィック表示を備えてグループ全体または一部におけるトピックの重要度を視覚的に示すようにした請求項１〜４の何れかに記載のガイド。
【請求項６】
グラフィック識別子にバーを使用し、その長さがグループ全体または一部における関連トピックの重要性を示す請求項５に記載のガイド。
【請求項７】
グラフィック識別子を選択可能にして、ユーザが関連トピックを選択できるようにした請求項５または６に記載のガイド。
【請求項８】
任意のトピックを選択すると一つまたは複数の付加的ガイドページが表示される請求項１〜７の何れかに記載のガイド。
【請求項９】
トピックまたはトピック識別子の何れかを選択することで、付加的なトピック識別子の類似リストあるいは希望するトピックに関連するコンテンツを含むライブウェブページを表示するようにした請求項８に記載のガイド。
【請求項１０】
インターネットまたはイントラネットサイトなどの電子文書の一つまたは複数の関連グループを識別するための関連グループ識別子を、第１グループと各関連グループのキートピックプロファイルの類似性あるいは類似度と共に表示するようにした前記請求項の何れかに記載のガイド。
【請求項１１】
例えばインターネットまたはイントラネットサイトのようなワールドワイドウェブの部分集合などの電子文書のグループ内部をナビゲーションする方法であって、
各トピックはユーザが任意に選択可能で、グループ全体または一部として識別したトピックの相対的重要性とともに、スクリーンまたはディスプレイ上に複数のトピック識別子を自動的に表示し；
ユーザが選択した任意のトピックを受け取り；
ユーザの選択に反応して、選択したトピック情報へのアクセスを提供するステップから成る方法。
【請求項１２】
インターネットまたはイントラネットサイトなどの電子文書の一つまたは複数の関連グループを識別するための関連グループ識別子を、第１グループと各関連グループのキートピックプロファイルの類似性あるいは類似度と共に表示するようにした請求項１１に記載の方法。
【請求項１３】
例えばインターネットまたはイントラネットサイトのようなワールドワイドウェブの部分集合などの電子文書のグループ内部をナビゲーションするためのシステムであって、
各トピックはユーザが任意に選択可能で、グループ全体または一部として識別したトピックの相対的重要性とともに、スクリーンまたはディスプレイ上に複数のトピック識別子を自動的に表示する手段と；
ユーザが選択した任意のトピックを受け取る手段と；
ユーザの選択に反応して、選択したトピック情報へのアクセスを提供する手段と、からなるシステム。
【請求項１４】
インターネットまたはイントラネットサイトなどの電子文書の一つまたは複数の関連グループを識別するための関連グループ識別子を、第１グループと各関連グループのキートピックプロファイルの類似性あるいは類似度と共に表示するようにした請求項１３に記載のシステム。
【請求項１５】
インターネットまたはイントラネットサイトで使用する対話式／電子ガイドを作成するようにしたデータ媒体またはその他のコンピュータ可読媒体のコンピュータプログラムであって、
各トピックはユーザが任意に選択可能で、グループ全体または一部として識別したトピックの相対的重要性とともに、スクリーンまたはディスプレイ上に複数のトピック識別子を自動的に表示し；
ユーザが選択した任意のトピックを受け取り；
トピック選択に反応して、選択したトピック情報へのアクセスを提供するように構成したコードまたは命令を備えるコンピュータプログラム。
【請求項１６】
インターネットまたはイントラネットサイトなどの電子文書の一つまたは複数の関連グループを識別するための関連グループ識別子を、第１グループと各関連グループのキートピックプロファイルの類似性あるいは類似度と共に表示するようにした請求項１５に記載のコンピュータプログラム。
【請求項１７】
ワールドワイドウェブまたはその他の情報源において情報グループを検出する方法であって、
複数の候補グループの情報を識別し；
各候補グループのコンテンツプロファイルを引き出し；
第１候補グループと前記複数の候補グループのその他の候補グループのプロファイルにおける相違を識別するために第１候補グループとその他の候補グループ各々のプロファイルとを全て比較するステップから成る方法。
【請求項１８】
前記プロファイルが複数のトピックから構成される請求項１７に記載の方法。
【請求項１９】
前記トピックの各々についてグループ全体または一部のコンテンツに重要度を割り当てる請求項１７または１８に記載の方法。
【請求項２０】
前記比較のステップが第1候補グループとその他の候補グループに共通するトピックの数をカウントすることから成る請求項１９に記載の方法。
【請求項２１】
前記比較のステップが第1候補グループの各キートピックの重要度とその他の候補グループの同一または類似トピックの重要度との比較を含む請求項１７〜２０の何れかに記載の方法。
【請求項２２】
前記比較のステップが第1候補グループとその他の候補グループに共通する全てのトピックの総比較の計算を含んで成る請求項１７に記載の方法。
【請求項２２】
各トピックはユーザが任意に選択可能であり、１つまたは複数の候補グループについて識別したトピックの重要度の表示とともに、複数のトピック識別子を自動的に表示し、ユーザがキーワード検索を実行しなくてもトピック識別子が表示され、任意のトピックを選択することで選択したトピック情報へアクセスできるようにした請求項１７〜２２の何れかに記載の方法。
【請求項２３】
ワールドワイドウェブまたはその他の情報源において情報グループを検出するシステムであって、
複数の候補グループの情報を識別する手段と；
各候補グループのコンテンツプロファイルを引き出す手段と；
第１候補グループと前記複数の候補グループのその他の第２候補グループの各々とを全て比較する手段とを含んでなるシステム。
【請求項２４】
前記比較手段は、候補グループそれぞれのトピックプロファイルにおける相違をコンピュータ計算するようにした請求項２３に記載のシステム。
【請求項２５】
前記トピックプロファイルの引き出し手段は、前記グループの複数のキートピックを識別する手段を備える請求項２３または２４に記載のシステム。
【請求項２６】
前記トピックプロファイルの引き出し手段は、トピックの各々について前記複数の候補グループ全体または一部のコンテンツに重要度を割り当てる手段を備える請求項２３〜２５の何れかに記載のシステム。
【請求項２７】
前記比較手段は、第1候補グループのキートピックの重要度と第2候補グループの同一または類似キートピックの重要度の差異を比較する手段を備える請求項２３〜２６の何れかに記載のシステム。
【請求項２８】
前記比較手段は、トピックプロファイルの各々のトピックについて個々の差を合計することで第1候補グループとその他の候補グループのプロファイルの総合的な差異をコンピュータ計算する集計手段を備える請求項２３〜２７の何れかに記載のシステム。
【請求項２９】
ワールドワイドウェブやその他の情報源の情報グループ内または相互間をナビゲーションするための方法であって、
各トピックはユーザが任意に選択可能で、希望するトピックプロファイルに関して識別したグループの類似性の表示とともに、スクリーンまたはディスプレイ上に複数のグループ識別子を表示し；
ユーザが選択した任意のグループ識別子を受け取り；
ユーザの選択に反応して、選択したグループの情報へのアクセスを提供するステップから成る方法。
【請求項３０】
ワールドワイドウェブやその他の情報源の情報グループ内または相互間をナビゲーションするためのシステムであって、
各トピックはユーザが任意に選択可能で、目標トピックプロファイルに関して識別したグループの類似性の表示とともに、スクリーンまたはディスプレイ上に複数のグループ識別子を表示する手段と；
ユーザが選択した任意のグループ識別子を受け取る手段と；
ユーザの選択に反応して、選択したグループの情報へのアクセスを提供する手段を含んで成るシステム。
【請求項３１】
ワールドワイドウェブのウェブサイトまたはその他の情報グループを検出する対話式／電子ガイドであって、
各グループ識別子はユーザが任意に選択可能で、各グループのコンテンツトピックの目標プロファイルとの類似性の表示とともに、複数のグループ識別子を表示し、任意のグループ識別子を選択することで選択したグループの情報にアクセスできるようにしたガイド。
【請求項３２】
グループ識別子を所定の順番で表示することによりグループの目標プロファイルとの類似性を表示する請求項３１に記載のガイド。
【請求項３３】
目標プロファイルに最も類似するグループをリストの初めに表示し、最も類似性の低いグループをリストの終わりに表示するようにして降順に類似性を表示する請求項３３に記載のガイド。
【請求項３４】
グループの目標プロファイルとの類似性を視覚的に表示するためのグラフィック表示を備える請求項３１〜３３の何れかに記載のガイド。
【請求項３５】
グラフィック識別子を選択可能にすることでユーザが関連グループを選択できるようにした請求項３４に記載のガイド。
【請求項３６】
任意のグループを選択すると、複数の付加的ロケーションページの１つを表示し、好ましくは、該ロケーションページは複数のトピック識別子を含み、かつ、選択したグループ内で識別したトピックの重要性の高い順に表示され、好ましくは各トピックはユーザが選択可能で、任意のトピックを選択することで選択したトピックに関する情報にアクセスできるようにした請求項３１に記載のガイド。
【請求項３７】
インターネットまたはイントラネットサイトで使用するシステムを作成するようにした、好ましくはデータ媒体またはその他のコンピュータ可読媒体のコンピュータプログラムであって、
各グループはユーザが任意に選択可能で、希望のトピックプロファイルに関して識別したグループの類似性の表示とともに、複数のグループ識別子を表示し；
選択された任意のグループを受け取り；
グループ選択に反応して、選択したグループ情報または関連情報へのアクセスを提供するように構成したコードまたは命令を備えるコンピュータプログラム。
【請求項３８】
グループまたは一群のテキストベースの電子文書をプロファイリングする方法であって、
キートピックを識別するためにグループ内の全ての文書を分析し；
識別したキートピックに重要度を割り当て；
複数のトピック識別子とグループ全体または一部として識別した各々のトピックの重要度の表示を含むトピックプロファイルを作成するために前記重要度を利用することから成る方法。
【請求項３９】
前記電子文書グループがウエブサイトページから構成される請求項３８に記載の方法。
【請求項４０】
分析ステップを実行するためにサイトの各ページをダウンロードすることを更に含む請求項３９に記載の方法。
【請求項４１】
文書分析ステップが特定単語の検索を含む請求項３８または３９に記載の方法。
【請求項４２】
分析ステップが重要キーワードと無関係のトピックを検索し、これを排除することを含む請求項３８〜４１の何れかに記載の方法。
【請求項４３】
グループ内で識別した複数のキートピックのそれぞれに関連する単語リストを決定し；
グループ内のその他のキートピックの何れかと関連する単語リストに各キートピックが載っているかどうかを決定し；
その他のキートピックの関連単語リストに載っていないキートピックを任意に廃棄することを含む請求項４２に記載の方法。
【請求項４４】
グループまたは一群のテキストベースの電子文書をプロファイリングするためのシステムであって、
キートピックを識別するためにグループ内の全ての文書を分析する手段と；
識別したキートピックに重要度を割り当てる手段と；
複数のトピック識別子とグループ全体または一部として識別した各々のトピックの重要度の表示を含むトピックプロファイルを作成するために前記重要度を利用する手段とから成るシステム。
【請求項４５】
前記電子文書グループがウエブサイトページから構成される請求項４４に記載のシステム。
【請求項４６】
分析を実行するためにサイトの各ページをダウンロードすることを更に含む請求項４５に記載のシステム。
【請求項４７】
分析手段がサイトオーナーにとって重要な特定単語を検索するようにした請求項４５または４６に記載のシステム。
【請求項４８】
分析手段が重要キーワードと無関係のトピックを検索し、これを排除するようにした請求項４４〜４７の何れかに記載のシステム。
【請求項４９】
グループ内で識別した複数のキートピックのそれぞれに関連する単語リストを決定する手段と；
グループ内のその他のキートピックの何れかと関連する単語リストに各キートピックが載っているかどうかを決定する手段と；
その他のキートピックの関連単語リストに載っていないキートピックを任意に廃棄する手段を含む請求項４８に記載のシステム。
【発明の詳細な説明】
【技術分野】
【０００１】
本発明は、ウェブサイトやこれに類似する情報源のように、ワールドワイドウェブ上にある情報集団から所望の情報を検索し、ナビゲーションするための改良されたシステムおよび方法に関する。本発明はまた、情報のナビゲーションを容易にする対話方式ガイドを作り出すためのシステムおよび方法に関する。
【背景技術】
【０００２】
法人組織においては、上級管理者や研究者が、今起こっていることに関して正確な情報を詳細なレベルで取得するのは、時として困難である。その一方で、法人組織のウェブサイトには、多くの情報が、例えば、会社の製品、スタッフ、組織などに関する多彩な情報が含まれている。こうした情報に容易にアクセスできれば、価値ある情報源となり得る。しかし、現行のウェブサイトロケーションや閲覧技術は、効率が悪くため、膨大な量の情報から重要なトピックスを識別することが難しいため、関連するウェブサイトを特定し、情報を見つけ出すことが現在は困難である。
【０００３】
現在、ウェブサイトの所在検出およびナビゲーションを行うために、様々な検索技術と閲覧技術が利用可能である。これらのうち、最初に挙げられるのは、従来型のサーチエンジンである。これはサーチエンジンボックスに入力した特定の単語またはフレーズを含むウエページを特定する。この技術は、検索者がウェブサイトで使用されている単語またはフレーズを正確に知っていることが必須条件となる。これは商品名などの実際的な情報を検索するには有効である。しかし、抽象的な概念や、同一または関連する情報を表現するのに異なる単語やフレーズが使用されている場合には、あまり有効とはいえない。例えば、"教師"という単語を含むページ上に、必要とする情報がすべて載っている場合には、サーチエンジンまたはウェブサイトで"教師"という単語を検索することは効果的である。しかし、関連する情報が"教師"という単語を含まない頁に、例えば、"教育"、"学校"、"子供"、"教室"などの単語を含む頁にある場合には、"教師"だけをキーワードにしたサーチエンジンでは、当該関連情報に辿り着けない。この手法のさらなる問題点は、特定のビジネスの形態を検索する場合（例えば、合併や買収の可能性を有する対象、市場や販売の有望な候補、ビジネスパートナーなどを検索する場合）、個々のウェブページを検出するので、その企業の組織体のほんの一部の情報しか反映されない。任意の企業のウェブサイトには何万というウェブページがあり、従って、一般的に、単一の頁に企業の組織活動全体を反映させることは不可能で、組織の活動範囲に基づく企業の識別作業を困難なものとしている。
【０００４】
ウェブサイトにおいてユーザのナビゲーションを補助するのに、従来、サイトマップあるいはリンク集が利用されている。これらは、典型的には、主題となるトピックとサブトピックを含むウェブサイトの個々の頁にリンクする長い目録を備えている。サイトマップは、相対的にハイレベルではあるが、通常、手作業で作成されている。従って、往々にして重要な詳細情報を欠き、編成や構成が比較的平坦に陥りやすい。すなわち、一つのレベルを超えての情報の "掘り下げ"が一般的に不可能であり、別の主題に関する情報の閲覧を希望する度に、ユーザはその都度、サイトマップに戻らなければならので、情報入手が極めて不便である。
【０００５】
ウェブサイトを検索するためのその他の従来技術は、手動によるブラウジング（閲覧）である。一般的にウェブは、何百万以上のページから成り、各ページ間は多重経路によって連結されている。ユーザが特定のページに含まれるリンクを選択することで、関連テキストや関連図形で特定される情報を含むリンクページへ移動することができる。しかし、手動でブラウジングする場合は、関連情報を含むページを見落とし易い。さらに、一般的なウェブサイトで採用されているテキスト形式のリンクは、スペース上の制限からそこに表示できる単語数が少なく、その数ではリンクを頼って辿り着ける多くの主題を、十分には記述できない。手動によるブラウジングのさらなる問題は、ユーザが各ウェブページを流し読みする傾向があるため、頁上の見出しテキストや視覚的に強調したい項目を、必然的により目立つようにしなけばならないことである。これは、強調されたテキストに目当てのキーワードが含まれていないと、ユーザがページを流し読みした時に、主要情報を効率的に取得することができないことを意味ずる。
【発明の開示】
【発明が解決しようとする課題】
【０００６】
本発明の目的の一つは、ワールドワイドウェブ上またはこれに類似する情報源上の情報集団の所在を検出するための改良されたシステムおよび方法を提供することにある。こうした情報集団は、典型的には、www. google. com.またはwww. uspto.gov.などの如く、ＵＲＬで特定されるウェブサイト内に含まれる。
【０００７】
本発明の別の目的は、ワールドワイドウェブまたはその他の情報源の情報集団間あるいは情報集団内をナビゲーションするための改良された方法を提供することにある。こうした情報集団は、典型的には、単一のウェブサイト領域、またはコンテンツによって関連付けられた複数のウェブサイトに含まれる。
【０００８】
本発明のさまざまな実施態様は、独立形式の請求項に記載する。幾つかの好ましい特徴は従属形式の請求項に記載する。
【０００９】
本発明の一実施態様によれば、一群のテキストベースの電子文書をプロファイリングする方法が提供され、その方法は、重要な話題（キートピック）を特定するためにグループ内の全ての電子文書を分析する工程と、特定されたキートピックに重要性の尺度（重要度）を割り当てる工程と、その重要度を利用してトピックプロファイルの作成する工程からなり、前記のトピックプロファイルは、複数のトピック識別子と、グループ全体として特定されたトピックの重要度の表示とを含む。
【００１０】
好ましくは、電子文書の一群はウェブサイトのページから成る。この場合、上記の方法は、分析工程を実行するために、ウェブサイトの各ページをダウンロードする工程を含んでも構わない。
【００１１】
文書の分析工程は、特定の単語の検索を含むことができる。これに加えて、あるいは、代替的に、分析工程は、重要なキーワードに無関係なトピックを検索してこれを排除する工程を含むことができる。さらに、分析工程は、グループ内で特定された複数のキートピックのそれぞれに関連する単語リストを確定する工程と、各キートピックがグループ内のその他のキートピックの関連単語リスト内にあるか否かを判断する工程と、、キートピックがその他のキートピックの関連単語リストに含まれていない場合は、これを廃棄する工程を、付加的に又は代替的に含むことができる。
【００１２】
本発明の別の実施態様によれば、一群のテキストベースの電子文書をプロファイリングするシステムが提供され、そのシステムは、キートピックを識別するためにグループ内の全ての文書を分析する手段と、識別したキートピックに重要度を割り当てる手段と、その重要度を利用してトピックプロファイルを生成する手段とからなり、前記のトピックプロファイルは、複数のトピック識別子と、特定したトピックのグループ全体としての重要度の表示を包含する。
【００１３】
本発明のさらに別の実施態様によれば、例えば、インターネットやイントラネットのサイトのようなワールドワイドウェブのサブセットの如き、電子文書のグループ内をナビゲーションする方法が提供され、その方法は、スクリーンまたはディスプレイ上に複数のトピック識別子を、ユーザが任意に選択可能であり、グループ全体として特定されたトピックの相対的重度と共に自動的に表示する工程と、ユーザが選択した任意のトピックを受け取る工程と、ユーザの選択に応答して選択されたトピックに関する情報へアクセスできるようにする工程を含む。
【００１４】
ユーザがキーワード検索を開始しなくても、トピック識別子をその相対的な重要度と共に自動的に表示することにより、ユーザは、興味ある情報を簡単にナビゲーションすることができる。
【００１５】
本発明のさらに別の実施態様によれば、例えば、インターネットまたはイントラネットサイトのような電子文書グループ内をナビゲーションする対話式／電子ガイドが提供され、そのガイドは、複数のトピック識別子を、ユーザが任意に選択できる特定されたトピックの重要度の表示と共に自動的に表示し、任意のトピックを選択することで、選択したトピックについての情報にアクセスできるものである。
【００１６】
本発明のさらに別の実施態様によれば、ワールドワイドウェブまたはその他の情報源ｎにある情報のグループの所在を検出する方法が提供され、その方法は、情報の複数の候補グループを特定する工程と、各候補グループについてコンテンツのプロファイルを導き出す工程と、第１候補グループのプロファイルを、前記複数の候補グループの別の候補グループのプロファイル１つ１つと比較する工程と、第１候補グループとその他の候補グループとの間のトピックプロファイルにおける相違を測定して特定する工程を包含する。
【００１７】
複数の異なるウェブサイトのコンテンツのプロファイルを比較することで、類似または関連するコンテンツを持つサイトの特定または所望のコンテンツのプロファイルに一致するサイトの特定が簡単になる。
【００１８】
本発明のさらに別の実施態様によれば、ワールドワイドウェブまたはその他の情報源にある情報グループ間または情報グループ内をナビゲーションする方法が提供され、その方法は、スクリーンまたはディスプレイ上に複数のグループ識別子を、ユーザの意に応じて選択できる所望のコンテンツのプロファイルに関連すると特定されたグループの類似性と共に、表示する工程と、ユーザが選択した任意のグループ識別子を受け取る工程と、ユーザの選択に応じて選択したグループの情報にアクセスできるようにする工程を包含する。
【００１９】
本発明のさらに別の実施態様によれば、例えば、ワールドワイドウェブ上のウェブサイトのような文書グループの所在を検出する対話式／電子ガイドが提供され、そのガイドは、ユーザが任意に選択可能な複数のグループ識別子を、コンテンツの目標プロファイルに対する各グループの類似性表示と共に提示することができ、一つのグループ識別子を選択することで、選択したグループの情報にアクセスすることができる。
【００２０】
本発明の実施例を添付の図面を参照しながら、以下に詳述する。
【００２１】
図１は、ウェブサイト用電子ガイド１２のメインビューページ１０を示し、このページでは、ユーザが検索を開始するためのトピック（主題）やキーワードを入力しなくても、ユーザの意に応じて選択できるキートピック識別子１４が自動的に表示される。事実、ビューアには、リモートサーバからダウンロードされるウェブサイトのページに先立って、ガイド１２が提示される。ウェブサイトの制作やダウンロードのメカニズムは、よく知られていることであるので、これをここで詳述することは省略する。典型的には、キートピックのリストは、幾つかのサイトページに及んでいる。これらのページ間のナビゲーションに対応するため、"第１"、"次へ"、"前へ"、"最後へ"の各ボタンを含む一連のナビゲーションボタンが用意されている。これらのボタンの何れかをクリックすることで、所望する一連のキートピックがリストアップされる。連続する一連のキートピックをクリックスルーすることで、ユーザは、最も重要なものから降順に一連のキートピックを取り込むことができる。
【００２２】
図１に示すメインビュー１０のキートピック識別子１４は、所定の順序で提供され、最も重要なトピックが最初に提示されている。このために、検索者はウェブサイト内の実際のテキストを予め知る必要がなく、ピックのリストから最も興味あるものを選択できる。例えば、教師のウェブサイトが、"教師"、"教育者"、"学校"、"子供"、"教室"などの全てのトピックを、サイトの最も重要なトピックとして特定し、これらを重要なトピックのリストのトップに表示していれば、ユーザはこのうちの何れかをクリックして関連コンテンツをナビゲーションできる。もし、教師に関するウェブサイトへの訪問者が、これらのトピックすべてに関心を持っているとすれば、検索ボックスに入力したときだけ、単一のトピック"教師"に関するコンテンツに戻れることは、従来のサーチエンジンを凌駕する本発明の長所である。例えば、航空工学製品製造会社（Ｘ）のような会社のウェブサイトの場合は、図１に示すように、トピックは"電子工学"、"航空機"、"会社"などである。
【００２３】
図１に示すメインビューページは、最重要トピックをリストの最初に表示しているだけでなく、多様なトピックの相対的な重要度を視覚的に明確に表示するビジュアルトピックのプロファイルを提供している。ちなみに、図１は、キートピックのリストと共に、これらトピックの重要度のグラフ表示１６で示しており、サイトの最も重要なトピックがトップに表示されている。殊に、図１のガイドでは、各トピックについて、その重要度を図解したバー１６が用意されている。このため、たとえ重要なコンテンツがウェブサイトのホームページに明確に表示されずに、サイト内の奥深くに隠れていても、これを際立たせることができる。キートピックのリストは、各キートピックを単一句または複数句として表示可能である。
【００２４】
キートピックのプロファイルにおける各トピック識別子１４あるいは各バー１６は、選択可能である。識別子及び／又はバーをクリックすると、別のトピックリストを含む次のビュー１８が提示される。この後続ビュー１８では、そこでの情報を、メインビュー１０で選択されたキートピックに関連するコンテンツを含むページに、特に関係つけることができる。
【００２５】
図１のトピック１４またはバー１６の１つを選択したときに表示される後続ビュー１８の一例を図２に示す。これはフレーム内にライブウェブページ２０を含む。この例では、ユーザはライブウェブページ２０そのものをクリックできるほか、"最初へ"、"次へ"、"前へ"、"最後へ"などのボタンを使用して選択したトピックにとって重要な別の後続ビューページへクリックで進め、また、当該後続ビューにリストされた別のキートピック２４に関する情報を含むさらに別の後続ビューページにクリックで進めるようになっている。これらの別のキートピック２４は、ウェブサイト全体について重要ではないが、このページでは重要なキートピックであり、重要度の高い順に上から下へに表示されている。こうすることで、関連トピックへのアクセスが容易になる。何故なら、相互に関係のあるトピックは、しばしば同じページに集まり、これらの関連キートピックの何れかをクリックすることで、ユーザはそのキートピックのトップページへ直ぐに移動できるため、閲覧が容易になるからである。例えば、"スミス博士の化学授業"に関するページの後続ビューは、このページのみに関連する"スミス博士"、"化学"、"ブンゼンバーナー"、"エレメント"、"化学学部"といった次のキートピックをリスト表示でき、これらのキートピックの各々についてトップページにはワンクリックでアクセスできる。このようにクリックスルーができる性能は、ドリルダウン／ドリルスルー能によって、キーコンテンツへのアクセスを容易にするので、サイト内で別の重要なトピックをナビゲーションしたい場合でも、サイトマップページまたはメインビューに戻る必要がない。
【００２６】
図２に示す後続ビュー１８にもトピックの評点が提示されている。この評点は、当該トピックが他のトピックと比較してどれだけ評価が高いかを、このページだけでなく、サイト全体の両方から示している。具体的には、インジケータ２６は、２つの目盛りと、２個のポインタを持ち、第１目盛りのポインタ２８は、サイト全体における選択したキートピックの重要度を表示する。第２目盛りのポインタ３０は、後続ビューリストにおいて、選択したキートピックの別のトピックに対比しての重要度を表示する。"次へ"などのナビゲーションボタンを利用して、選択したトピックについてキーページの連続する後続ビューをクリックすることで、ユーザは当該トピックについて、最も重要度の高いキーページから低いキーページへ順番に閲覧できる。図３は、図１と図２の各ページがどのようにリンクするかを示す。
【００２７】
ウェブサイトをナビゲーションするメカニズムに加えて、図１に示すガイドは、類似トピックのプロファイルを持つウェブサイトにリンクするための手段もユーザに提供し、そのため、ユーザはサイト内のアクセスメカニズムに加えて、各サイト間のアクセスメカニズムも手中にできる。この目的を達成するために、ガイドは一つまたはそれ以上の関連ビューページ３２を含む。関連ビューページ３２へのアクセスは、メインビュー及び後続ビューのそれぞれに表示されている"関連ビュー"リンク３３をクリックすることで行われる。図４は、関連ウェブサイトをナビゲーションするための関連ビューページ３２の一例を示し、そこでにはユーザが選択できるウェブサイト識別子３４が提示されている。目標トピックプロファイルに最も類似のトピックファイルを有するウェブサイトを最初に提示しながら、図４に示す関連ビュー３２の関連ウェブサイト識別子３４は、所定の順序で表示され、そこでは目標トピックのプロファイルに最も類似するトピックプロファイルを持つウェブサイトが最初に提示される。好ましくは、関連ビューページ３２は、ウェブサイトの目標プロファイルとの類似性を視覚的に明確に表示する視覚的プロファイルを提示する。ちなみに、図４は、目標プロファイルとのウェブサイトの類似性を示すグラフ表示３６を備え、そこでは、最も類似するウェブサイトが最初に表示されている。つまり、図４のページでは、各ウェブサイトについて、目標プロファイルとの類似性を表示するバー３６が提示されている。このため、ユーザは、例えば、吸収合併の標的を特定する場合や潜在的取得者と取得物の両方の目標プロファイルが類似している場合に役立つ、類似ウェブサイトの所在検索を行うことができる。
【００２８】
典型的には、図４に示すウェブサイトのリストは、幾つかのサイトページに及ぶ。前述したように、これに便宜を図るために、一連のナビゲーションボタン３８が用意されており、これらのボタンには、"最初へ"、"次へ"、"前へ"、"最後へ"などのボタンが含まれる。これらのボタンをクリックすることで、ユーザは所望のウェブサイトをリストアップすることができる。そして、連続するウェブサイトを通してクリックすることで、ユーザは関連性の最も高いウェブサイト群から最も低いウェブサイト群の順に情報を得ることができる。さらに、ウェブサイトリストにおけるそれぞれのウェブサイト識別子３４またはバー３６は、選択することができる。好ましくは、識別子３４またはバー３６の何れかをクリックすることにより、それぞれのトピックプロファイルの重複および相違に関するより多くの情報が、関連ビューページに提示されるようになっている。
【００２９】
図１〜図３に示すガイドは、図５に示すように、無制限の深さに掘り下げ可能なリンク性を有する。これは従来のサイトマップでは不可能である。このドリルダウン能力は、相互に関連する複数のトピックが、ページ上のテキストにしばしば互いに寄り集まるという事実に依存している。例えば、 "教育"、"学校"、"子供"、"教室"などの関連トピックは、多くの場合、ウェブページの"教師"という言葉の周辺に集まっている。これにより、メインビュー１０から第１の後続ビュー１８にかけて、"教師"というトピックについてクリックした検索者は、そのページで関連性の高いものを含むその他のキートピックを吟味し、そのページのその他のキートピックの何れかについて第１後続ビューまで移動することができる。つまり、メインビューまたはサイトマップに戻らなくても、トピック間またはページ間をクリックするだけで、そのサイトを無限に掘り下げることができるので、サイト周辺をナビゲーションするのに有効な改良技術を手に入れることができる。これとは対照的に、従来のサイトマップでは、同一サイトの他のトピックを掲載したページに移動する場合に、ユーザはサイトマップに戻らなければならない。本発明ではその必要がないことに加えて、関連ビューページを設けることにより、ユーザは有利にサイト間の検索およびナビゲーションを実施することができる。
【００３０】
図６は、上記したのとは別のナビゲーションルートを示し、このルートは図１、図２、図３に示すナビゲーションページの間を、ナビゲーションする場合に使用できる。好ましくは最初のメインビューから最重要トピックを検索する場合、 "最初へ"、"次へ"、"前へ"及び"最後へ"の各ボタンが、メインビューのキートピックリストをナビゲートするのに使用できる。メインビューのトピック識別子を選択することで、後続ビューページが表示され、"メインビューで予め選択したトピックについてのキーページを、重要度が低下する順にナビゲーションするために、最初へ"、"次へ"、"前へ"、"最後へ"の各ボタンを使用して、別の後続ビューページをナビゲーションすることができる。後続ビューの"メインビュー"ボタンを選択すれば、当該サイトのメインビューに戻る。任意の後続ビューまたはメインビューにある"関連ビュー"ボタン３３を選択することで、関連ビューページをナビゲーションすることができ、そのページから、"最初へ"、"次へ"、"前へ"、"最後へ"のボタンを使用して、関連サイトリストを、好ましくは、類似性が低下する順にナビゲーションすることできる。関連ビューにおける関連ウェブサイト識別子（通常、ＵＲＬ）のどれかを選択すると、当該関連サイトに関するメインビューをナビゲーションでき、一方、メインビューにおける"関連ビュー"を選択すると、類似サイトの関連ビューを、好ましくは、類似性の高い順にナビゲーションできる。
【００３１】
図７は、図１、図２、図３に示したガイドを構成するステップを示す。実際は、これらのステップは、適当なプロセッサ（図示省略）内で作動するガイド作成／分析ソフトウェアによって実行される。第１ステップは、キーとなる主題のトピックを特定するために、対象となるウェブサイトを完全に、かつ包括的に分析する。そうするために、各目標ウェブサイトのアクセス可能なページの一部またはすべてが、分析ソフトウェアを備えるプロセッサに最初にダウンロードされる（図７の符号４０参照）。次に、各ページが分析され、キートピックが特定される（図７の符号４２参照）。次に各キートピックの重要度が決定され（符号４４参照）、トピックのプロファイルが比較される。最後に、この情報を利用して、ガイドを作成する（符号４６参照）。より具体的には、当該サイトの各ページが、重要なトピックを抽出するために１回だけ処理される。これにより、各ページ上のキートピックが、各ページに１度だけ、確実に特定されてロギングされる。相互に排他的で、かつ、相互に網羅的な処理が、ウェブサイト上の全てのアクセス可能なコンテンツに適応される。この処理は、コンテンツフォーマットの違いを区別しない。それ故、見出しとしてフォーマットされたテキストは、ユーザがページを流し読みする時に起こる先入見を取り除くために、本文テキストと同様に処理される。
【００３２】
キートピックを特定するために使用される基本的な技術は、サイト上の一つ一つの単語を処理し、単語コンテンツ全体から潜在的トピックの数を、取り扱い可能なレベルまで連続的に減少させてキートピックを際立たせることである。図８は、キートピックの特定する方法で一つで採用されるステップを示している。この方法は、単一キーワードの最初の削減リストを特定する工程（符号４８参照）と、複数の語からなる語句が含まれるように削減リストを修正する工程（符号５０参照）と、削減リストから選択した単語以外の単語を排除する工程（符号５２参照）と、サイト内でのトピックの出現頻度に従って重要度を評価する工程（符号５４参照）と、重要度の評価に従ってランクを割り当てる工程（符号５６参照）と包含する。図９は、最初の削減リストを特定する工程を、さらに詳しく示すものである。すなわち、この工程は、サイト内での各単語の出現数を数える工程（符号５８参照）と、その数をウェブサイト全体における特定の言語（例えば、英語）による単語それぞれの平均出現頻度と比較する工程（符号６０参照）と、平均出現頻度より多く出現する単語を選択する工程（符号６２参照）を包含する。
【００３３】
最初の削減リストが決定すると、いくつかの技術を使用して、そこに含まれるキートピック数が削減される。従来のサーチエンジン技術は、正確さと関連性に限界があり、削減リストの中に、ウェブサイトの特定のコンテンツにとって実際には重要でないフレーズがしばしば含まれるため、キートピック数の削減は不可欠である。キートピックを削減する技術の一つは、複数の単語から成るフレーズを検索し、これを盛り込むことにある。この操作は、図１０に示すように、サイトの最初の削減リストで単語が出現する毎にこれを検出し、後に続く単語を抽出して付加することにより、各キーワードについてキーフレーズを作成することで実行され（符号６４参照）、次に、これらのキーフレーズが出現するたびにそれがカウントされ（符号６６参照）、最も出現頻度の高いフレーズを選択してこれをリストに盛り込むことで遂行される（符号６８参照）。
【００３４】
複数の単語から成るフレーズを分析し、リストに加えた後は、リストに載っている単語トピックのいくつかを除外する。そうする理由は、複数単語のトピックに比較して、単語のトピックは、伝達する情報量が一般に少なく、特定の情報を迅速に特定したいユーザには、余り役立たないからできる。例えば、単一の語に説明的な単語を付加すると、その意味する内容は分かり易くなる。ちなみに、"化学教師"は、単なる"教師"と比べて教師に関するより多くの情報を伝えている。つまり、化学教師は単なる教師より、情報の特定に有利であるので、トピックとしてこれを残す。しかし、単一の語も、例外的に残す。例えば、人名、地名、製品名などの固有名詞のトピックは、頭文字で特定してリストに含める。ＣＥＯなどの重要人物の名前や商品名は、商品の所有者や個人情報を表示する場合が多く、取締役や研究者が重要なトピックを見つけるのに役立つからである。標準的な辞書に含まれない単語もリストに含めることができる。一般辞書にない単語は、極めて専門的で特殊であり、ウェブサイトの特定のコンテンツにかかわりなく、このウェブサイトに関連している可能性が高いからである。
【００３５】
図１１に示すように、ウェブサイトを分析することで、削減リスト内の別のトピックの何れとも関連していないトピックも除外される。これを行うために、ウェブサイトで識別（特定）された複数のキートピックのそれぞれに関連する単語リストを割り出し、各キートピックが、ウェブサイト内の別のキートピックの何れかと関連する単語リストに、載っているかどうかが判定される。そして、別のキートピックの何れかと関連する単語リストに載っていないキートピックは、廃棄される。関連単語の決定には、辞書または類義語辞典、その他の方法が使用できる。一例として、"教師"に関するサイト上で"輸送"のトピックは、教師に関する別のキートピックの何れとも明確な関連性がないので、除外できる。しかし、削減リストにおける"授業"のトピックは、"教師"と関連し、おそらく、削減リストのその他のトピックとも関連すると識別されよう。同様に、"教育"と大まかには関連するが、"教師"と関連するようには見えない幾つかの単語も、リストに含ませることができる。削減リストを検討しつつ、関連性に鑑み徐々にキートピックを削減したリストを構築し、無関係なトピックを大幅に除外する。
【００３６】
関連キーワードを試験することの利点は、無関係なトピックを除去することによって、検索結果の正確性が向上することであって、従来は、その他全てと関係する最初のキーワードの選択するために、サイトのコンテントを分析する予備知識を必要としたが、本発明ではこれを必要としない。何故なら、削減リスト中の全ての潜在的トピック単語が、本発明では、サイトコンテンツの予備知識によって選択されるキーワードとの関連性で、試験されるのでは無くて、標準的な分類語彙辞典を使用して削減リスト中の全ての単語との関連性で試験されるからである。別法として、削減トピックリストの部分集合（サブセット）を試験して、必要とされる処理を減少させることもできる。
【００３７】
本発明では、ページ上またはページ内の有界ボックス（隠し又は可視）のようなフォーマット要素に関して位置が大きく異なるトピックが選択される。その理由は、本当のトピックでないたくさんの単語が、多くのまたは全てのページの同じ場所に、例えば、各ページの同じ場所に繰り返し出現するバナーやボタンバーに、現れるからである。出現頻度にのみ依存する従来式の検索では、これらの単語は、エラーとして出現する。しかし、本当のトピックは、文書の特定の１箇所でなく本文テキスト中に分散するのが特徴である。結果として、一般にバナーやボタンバーを取り巻いているフォーマット要素に関して、トピックの位置の相違をチェックすることは、固定的に設置されたこれらの素子のいくつかを削減リストから除外することに役立つ。
【００３８】
或るサイトの全てのページについてキートピックの削減リストが一旦決定されると、既に記録されている各ページのコンテンツがページごとに再分析され、最終削減リスト中でトピックについて最高位にランクされたページが特定される。同時に、各ページも処理され、各ページ上のキートピックについて、ページ毎のトピックリストが作成される。この削減リストは、全てのメインビューの作成に利用され、ページごとのトピックリストは、全ての後続ビューの作成に使用される。トピックの格付けには、各トピックの出現率が利用され、各トピックの重要度が評価される。この評価は、特定のトピックが当該サイト全体で言及された回数を、カウントすることで行われる。好ましくは、重要度の尺度は、ウェブサイト全体における単語の総数の百分率で、もしくは、全てのキートピック語の事例総数の百分率で表示される。
【００３９】
各トピックの重要度の尺度が決まると、その尺度を使用してガイドまたはマップのメインビュー１０が構築される。一般に、最も重要なトピックは、図１に示すように、キートピックリストのトップに表示される。このようにして、本発明に係るガイドは、ユーザがウェブサイトをナビゲーションする上で、極めてシンプルで効率的なメカニズムを提供する。理想的には、ユーザがウェブサイトにアクセスすると、キーワード検索を行わなくても、本発明に係るガイドまたはマップは、ユーザに自動的に提示される。マップを最新の状態に保つためには、ウェブサイトを定期的に分析すべきである。
【００４０】
サイト分析の全体的方策を要約すれば、次のとおりである。
すなわち、サイト内の全単語の出現回数をカウントすることで、単一キーワードの当初削減リストを、まず識別（特定）する。次に、各単語の出現回数をサイトの言語での各単語の出現頻度と比較する。次いで、平均頻度と比較して最も頻度の高い単語を選択する。これを実行したら、削減リストに多数語フレーズが含まれるように、削減リストを次のように修正する。すなわち、サイト上の削減リストにおける各単語の所在を突き止め、サイト上の後続単語を抜粋してこれを付け加えることで、各キーワードについてキーフレーズを形成させ、サイトにおける各キーフレーズの出現回数をカウントし、そして、サイトで最も出現率の高いフレーズを選択する。次に、固有名詞、辞書に載っていない単語、削減リスト内の他の単語と関連性のある単語などを例外として、単語群を削減リストから除外する。次いで、サイトでの出現率に応じてフレーズをランク付けし、最も高位にランクされたフレーズを選択し、これをサイト全体の最終キートピックリストに含ませる。しかる後、予め記録された情報から各ページのコンテンツがページごとに再分析され、各トピックについて最重要ページが最終削減リストに特定される。ページの削減リストに含まれるその他全てのキートピックも、ページ毎のキートピックリストに記録され、そのリストは、爾後、後続ビューの作成に使用される。これを実行することで、ガイドのメインビューと後続ビューが作成される。
【００４１】
トピックプロファイルを決定するための上記技術は、複数の異なるウェブサイトに適用可能で、これらのプロファイルを利用して類似性の程度ないしは度合いを特定することができる。２つ以上のサイト上の各キートピックについて重要度の尺度が決まれば、一連のペア（目標ウェブサイト、候補ウェブサイト）を形成させるために、各ウェブサイトを順番に選択し、次に他のウェブサイト全てを順番に選択ることで、得られたトピックプロファイル群が比較される。これらペアのそれぞれのトピックプロファイルは、目標プロファイルの各トピックを選択することで比較され、このトピックの重要度は、候補ウェブサイトに同一または類似のトピックがあれば、その重要度と比較される。この状況は、図１２に示されている。好ましい実施態様では、上述したプロファイル作成プロセスの一環として重要度が標準化でき、この重要度が所定の指標の割合または百分率として表示できるので、図１２に示すプロセスは比較的容易に実行できる。重要度の集合体がコンピュータで計算されるが、これが、上記両サイトに共通する全トピックの比較値の集合体である。さらに付け加えると、前述のように作成したトピックプロファイルを使用する代わりに、目標プロファイルを２つ以上のトピックを含み、目標ウェブサイト全体のトピックの重要度をも含ませることができるマニュアルプロファイルとすることができる。
【００４２】
トピックプロファイルを比較するための第１の方法は、両方のプロファイルに共通するトピックをカウントすることである。もしかするとより正確な第２の方法は、図１３に示される。この方法は、目標プロファイルを選択する工程７０と、第１の候補ウェブサイトプロファイルを選択する工程７２を含む。好ましくは、目標プロファイルの最重要トピックから始めて、候補プロファイルと共通する目標プロファイルの各トピックを選択し（符号７４参照）、これを候補サイトにある同一または類似のトピックと比較する。特に、両プロファイルにおけるトピックの重要度（例えば、トピック単語の出現頻度が、図１２に示すように、比較される。これにより、比較すべき２つのサイトのプロファイルにおける当該トピックの類似性に関する比較値を、得ることができる。目標プロファイルの全てのキートピックについて、この工程を繰り返す（符号７６参照）。比較される２つのサイトに共通する全トピックについて、比較値を合計することで比較値の総計を求めることができる。全ての候補ウェブサイトについてこれを繰り返す（符号７８参照）。
【００４３】
キートピックが特定されると、ガイド用のメインビュー、後続ビューおよび関連ビューが作成される。この工程は、図１４、図１５及び図１６に示されている。これを実行するには、まず、３つのページテンプレートが作成されなければならず、メインビューには図１に示すようなページテンプレートが、後続ビューには図２に示すようなページテンプレートが、そして関連ビューには図３に示すようなページテンプレートがそれぞれ作成される。これらのテンプレートは、任意の形式、レイアウトまたはデザインとすることができる。
【００４４】
テンプレートが完成すると、これを使ってガイドが作成される。メインビューページを作成するには、図１４に示すように、図１のメインビューページレイアウト（ＨＴＭＬコード）用のページテンプレート構造がまず選択される（符号８０参照）。次に、好ましくはキートピックリストの最重要トピックから始めて、各トピックとランクが、ＨＴＭＬコードでテンプレートに挿入され（符号８２参照）、そのページがウェブサイトに公開される（符号８４参照）。全てのキートピックがテンプレートに挿入されるまで、この操作は繰り返えされる（符号８６参照）。図１５は、後続ビューページを作成する工程を示す。後続ビューページの作成は、メインビューページの作成後に行われ、最初に、図２のページレイアウト（ＨＴＭＬコード）用のページテンプレート構造が選択される（符号８８参照）。次に、好ましくは各トピックの最重要ページから始めて、ページ毎のキートピックリストからのキートピックと、その対応するランクが、ＨＴＭＬコードでテンプレートに挿入される（符号９０参照）。当該ページはウェブサイトに公開される（符号９２参照）。この操作は、キートピックに関する全てのページが、テンプレートに挿入されるまで繰り返えされる（符号９４参照）。そして、削減リストにある別のキートピック全てについて、上記の操作が繰り返えされる（符号９６参照）。最後に、図３に示すような関連ビューページが作成され、そこでは、図１６に示すように、適当なページテンプレート構造が選択され、次いで、好ましくは関連ウェブサイトリストの目標プロファイルに最も類似するウェブサイトから始めて、各ウェブサイトと類似性が、ＨＴＭＬコードでテンプレートに挿入される。このページは、次にウェブサイトに公表される。この操作は、全ての関連ウェブサイトがテンプレートに挿入されるまで繰り返えされる。
【００４５】
ガイドが作成されると、そのガイドは、関連ウェブサイトに組み込まれるか、あるいは、リンクした別のウェブサイトとしてホストになることが可能で、ユーザがそれらのサイトを選択した時、または閲覧を希望した時に、そのガイドは表示される。この技術は当業界でもちろん公知である。
【００４６】
本発明の骨子から逸脱しない範囲で、上に記載した技術に若干の変更を加えることが可能なことは、当業者であれば理解できよう。例えば、ホームページや会社の財務情報を、図１のキートピックリストと共に、メインビューに表示しても構わない。これは、典型的には、サイトのホームページプレビューを示すものであり、これによって、ユーザが正しいサイトを閲覧しているかを、瞬時に視覚的に表示することができる。第２の変更例は、後続ページにトピックリストが参照するページのページプレビューを表示することであって、これにより、ユーザは当該ページをさらに調査すべきかどうか素早く評価できる。さらに別の例をあげると、本発明は、主に、ウェブサイトおよびインターネットに関係する技術として説明されているが、この技術は、テキストベースの電子文書の集りをナビゲーションするシステムにも応用できる。ちなみに、このシステムをウインドウズベースのシステムに応用すれば、フォーマットの種類に関係なくローカルＰＣに記憶した全てのテキストベース文書のトピックプロファイルを提供できる。従って、先に述べた特定の実施態様は、単なる例示に過ぎず、本発明を限定するものではない。当業者であれば、記載した操作に有意な変更を加えることなく実施態様を改修できることは明らかである。
【図面の簡単な説明】
【００４７】
【図１】キーサイトトピックのリストを備えたウェブサイトをナビゲーションするための電子ガイドのメインビューを示す図。
【図２】図１のリストからキートピックを選択した際にユーザに提示される後続ビューを示す図。
【図３】図１及び図２が示すページ間のリンクの階層図。
【図４】図１が示すような目標トピックプロファイルに関連するウェブサイトを、ナビゲーションするための電子ガイドの関連ビューを示す図。
【図５】ガイドの無制限は掘り下げ能力を示す図。
【図６】図１〜図３に示すガイドを介してユーザがナビゲーションする方法を示す図。
【図７】図１〜図３のガイドを作成するためのステップの高レベルなフローチャート。
【図８】図１〜図３のガイドを作成するためのさらに詳細なフローチャート。
【図９】キートピックの初期リストを考案する操作のフローチャート。
【図１０】図９のステップを実行して得られる初期のキートピックリストを縮小する操作のフローチャート。
【図１１】全体として情報の部分集合に無関係なトピックを排除するのに使用する関連単語の用例を示す図。
【図１２】２つの情報グループ間のトピックプロファイルを比較するための操作を示す図。
【図１３】２つのウェブサイトのプロファイルを比較するのに必要な工程のフローチャート。
【図１４】キートピック情報を用いて図１のメインビューページを作成するための工程のフローチャート。
【図１５】図２の後続ビューページを作成するための工程のフローチャート。
【図１６】図３の関連ビューページを作成するための工程のフローチャート。
【図１】
2007527558.tif 000003
【図２】
2007527558.tif 000004
【図３】
2007527558.tif 000005
【図４】
2007527558.tif 000006
【図５】
2007527558.tif 000007
【図６】
2007527558.tif 000008
【図７】
2007527558.tif 000009
【図８】
2007527558.tif 000010
【図９】
2007527558.tif 000011
【図１０】
2007527558.tif 000012
【図１１】
2007527558.tif 000013
【図１２】
2007527558.tif 000014
【図１３】
2007527558.tif 000015
【図１４】
2007527558.tif 000016
【図１５】
2007527558.tif 000017
【図１６】
2007527558.tif 000018
【手続補正書】
【提出日】平成17年12月26日(2005.12.26)
【手続補正１】
【補正対象書類名】特許請求の範囲
【補正対象項目名】全文
【補正方法】変更
【補正の内容】
【特許請求の範囲】
【請求項１】
電子テキストの複数の集合各々についてコンテンツプロファイルを決定する工程と、そのプロファイルを対比して類似度を特定する工程とを包含する電子テキストの集合の類似性を評価する方法。
【請求項２】
電子テキストの集合のコンテンツプロファイルを決定する工程が、集合の各クループを分析してキートピックを特定する工程と、特定したキートピックに重要性の尺度を割り当てる工程と、その尺度と特定したトピックを利用してコンテンツプロファイルを作成する工程を包含する請求項1記載の方法。
【請求項３】
上記した各グループの分析が単語出現頻度の分析に基づいて行われ、その分析が、グループの本来の言語においてグループ内の平均より出現頻度が高いトピックを選択する工程を包含する請求項２記載の方法。
【請求項４】
上記の分析が、重要なキーワードに無関係なトピックを廃棄することを含む請求項２に記載の方法。
【請求項５】
グループ内で特定された複数のキートピックのそれぞれに関連する単語のリストを決定する工程と、各キートピックが、グループ内の別のキートピックの何れかと関連する単語リストに載っているかどうかを判定する工程と、別のキートピックの関連単語リストに載っていないキートピックを廃棄する工程とを包含する請求項２〜４の何れかに記載の方法。
【請求項６】
プロファイルの対比が、各パーティのプロファイルに共通するトピックの数をカウントする工程を包含する先行請求項の何れかに記載の方法。
【請求項７】
プロファイルの対比が、各キートピックの重要度を比較する工程を含む先行請求項の何れかに記載の方法。
【請求項８】
プロファイルの対比が、比較対象のプロファイル間に共通する全トピックの集計的比較を計算することを包含する先行請求項の何れかに記載の方法。
【請求項９】
複数のテキストグループの各々についてコンテンツプロファイルを決定し、プロファイルを比較して類似度を特定する操作が行えるシステム。
【請求項１０】
集合内のテキストグループのそれぞれを分析してキートピックを特定することで、集合のコンテンツファイルを決定し、特定されたキートピックに重要度の尺度を割り当て、その尺度と特定されたトピックを利用してコンテンツファイルを作成する操作が行える請求項９記載のシステム。
【請求項１１】
グループの本来の言語においてグループ内の平均より出現頻度が高いトピックを選択することを含む単語出現頻度の分析に基づいて、グループ情報の分析が行える請求項１０記載のシステム。
【請求項１２】
重要なキーワードに無関係なトピックを廃棄できる請求項１０または請求項１１記載のシステム。
【請求項１３】
グループ内で特定された複数のキートピックのそれぞれに関連する単語リストを決定し、各キートピックが、グループ内の他のキートピックの何れかと関連する単語リストに載っているかどうかを判定し、他のキートピックの関連単語リストに載っていないキートピックを廃棄できる請求項１０記載のシステム。
【請求項１４】
テキストの集合の各グループを分析してキートピックを特定する工程と、特定されたキートピックに重要度の尺度を割り当てる工程と、この尺度を利用して各トピックの重要度の表示と複数のトピック識別子を含むトピックプロファイルを作成する工程とを包含するテキストの集合またはグループをプロファイリングする法。
【請求項１５】
前記の集合が、ウェブサイトの複数のページから構成される請求項１４記載の方法。
【請求項１６】
サイトの各ページを分析のためダウンロードすること包含する請求項１５記載の方法。
【請求項１７】
グループの分析工程が、単語の出現頻度分析に基づいて行われ、その出現頻度分がグループの本来の言語においてグループ内の平均より出現頻度が高いトピックを選択することを含む請求項１４〜１６の何れかに記載の方法。
【請求項１８】
文書の分析工程が、グループ内で特定された複数のキートピックのそれぞれに関連する単語リストの決定する工程と、各キートピックが、グループ内の別のキートピックに関連する単語リストに載っているかどうかを判定する工程と、別のキートピックに関連する単語リストに載っていないキートピックを、廃棄する工程を包含する請求項１４〜１７の何れかに記載の方法。
【請求項１９】
テキストベースの電子文書の集合をプロファイリングするためのシステムであって、キートピックを特定するために、集合内のテキストを各グループを毎に分析し、特定したキートピックに重要度の尺度を割り当て、その尺度を使用して複数のトピック識別子と前記重要度の表示とを含むトピックプロファイルを作成させる操作が行える前記のシステム。
【請求項２０】
グループ内で特定した複数のキートピックのそれぞれに関連する単語リストを決定する手段と、各キートピックが、グループ内の他のキートピックの何れかと関連する単語リストに載っているかどうかを判定する手段と、他のキートピックの関連単語リストに載っていないキートピックを廃棄する手段とを包含する請求項１９記載のシステム。
【請求項２１】
インターネットまたはイントラネットサイトのような電子文書の集合をナビゲーションするための対話式電子ガイドであって、複数のトピック識別子と共に、特定したトピックの集合全体又は集合の一部に対する重要度を自動的に提示し、トピック情報がユーザに提供するために、各トピックは選択可能であり、ユーザがキーワード検索を実行しなくても、トピックの重要性の順番に、トピック識別子を提示できる上記の多和式電子ガイド。
【請求項２２】
最も重要なトピックがリストの初めに表示され、最も重要性の低いトピックがリストの終わりに表示されるように、トピックを降順に表示する請求項２１記載のガイド。
【請求項２３】
グラフィック表示を備えてグループ全体または一部におけるトピックの重要性を視覚的に示す図形表示が採用された請求項２１または請求項２２記載のガイド。
【請求項２４】
トピックまたはトピック識別子の何れかを選択すると、所望のトピックに関連するコンテンツを含むライブウェブページおよび／または付加的なトピック識別子の同様なリストが提示されて電子文書グループのナビゲーションができる請求項２１〜２３の何れかに記載のガイド。
【請求項２５】
インターネットまたはイントラネットサイトなどの電子文書の一つまたはそれ以上の関連グループを特定するための関連グループ識別子が、第１グループのキートピックプロファイルとの各関連グループのそれとの間の類似性の尺度と共に、提示できる請求項２１〜２４の何れかに記載のガイド。
【請求項２６】
インターネットまたはイントラネットサイトのようなワールドワイドウェブの部分集合などの電子文書グループ内をナビゲーションする方法であって、グループ全体またはグループの一部に対する或るトピックの重要性が分かるように、ユーザが特定したトピックの相対的重要度と、複数のトピック識別子を、所定の順番でスクリーンまたはディスプレイ上に自動的に提示する工程と、或るトピックをユーザが選択したことを感受する工程と、ユーザの選択に応じて、選択されたトピックの情報にアクセスできるようにする工程を包含する前記のナビゲーション方法。
【請求項２７】
電子文書の関連グループの1つまたはそれ以上を特定するための関連グループ識別子を、第１のグループのキートピックプロファイルと各関連グループのそのとの間の類似性の尺度と共に提示する工程を包含する請求項２６記載の方法。
【請求項２８】
ワールドワイドウェブのウェブサイトまたはその他の情報グループの所在を確認するための対話式電子ガイドであって、ユーザが選択可能な複数のグループ識別子を、各グループのコンテンツトピックの目標プロフィルに対する類似性の表示と共に提示し、或るグループ識別子を選択すると、選択されたグループに関する情報にアクセスできる上記の対話式電子ガイド。
【請求項２９】
目標プロファイルに対するグループの類似性を視覚的に表示するための図形表示が用意された請求項２８記載のガイド。
【手続補正書】
【提出日】平成19年4月19日(2007.4.19)
【手続補正１】
【補正対象書類名】特許請求の範囲
【補正対象項目名】全文
【補正方法】変更
【補正の内容】
【特許請求の範囲】
【請求項１】
ウェブサイトなど情報の集合の候補リストを特定し；
候補とした各々の集合についてコンテンツプロファイルを獲得し；
第１候補のプロファイルをその他の候補のプロファイルとそれぞれ対比して、集合同士の類似性評価を獲得し、
各識別子は、各々が特定する集合と第１候補のプロファイルの類似性評価または表示と共に、１つの集合を特定する複数の識別子を提供する工程から成る類似のウェブサイトまたはその他の情報の集合を特定するための方法。
【請求項２】
各集合がウエブサイトのページで構成される請求項１に記載の方法。
【請求項３】
各集合識別子がユニフォームリソースロケータである請求項１または２に記載の方法。
【請求項４】
ウェブサイトの各ページを分析のためダウンロードすること包含する請求項２または３に記載の方法。
【請求項５】
集合のプロファイルの獲得が、集合のテキストの各グループについて分析を行ってキートピックを特定し；特定したキートピックへ重要性評価を付与し；該評価を使用し、複数のトピック識別子と特定した各トピックの集合に対する重要性表示とを含有するトピックプロファイルを作成する工程から成る前記請求項の何れかに記載の方法。
【請求項６】
プロファイルの対比が、比較対象の集合プロファイル間に共通するトピックの数をカウントする工程から成る請求項５に記載の方法。
【請求項７】
プロファイルの対比が、比較対象の集合プロファイル間に共通する各キートピックの重要度評価を比較する工程から成る請求項６に記載の方法。
【請求項８】
プロファイルの対比が、比較対象の集合プロファイル間に共通する全トピックの集計的比較を計算する工程から成る請求項７に記載の方法。
【請求項９】
集合の言語全体としての平均より出現頻度が高いトピックを選択することを含む単語出現頻度の分析に基づいて、プロファイルを獲得する前記請求項の何れかに記載の方法。
【請求項１０】
プロファイルの重要なキーワードに無関係なトピックの廃棄を含む請求項９に記載の方法。
【請求項１１】
プロファイル内で特定された複数のキートピックのそれぞれに関連する単語リストを決定し、各キートピックが、プロファイル内のキートピックの何れかと関連する単語リストに載っているかどうかを判定し、何れのキートピックの関連単語リストにも載っていない任意のキートピックを廃棄することを包含する請求項１０記載の方法。
【請求項１２】
情報の集合が個人または法人と関連し、集合のプロファイル間の類似性評価を特定することで個人または法人間の類似性評価を提供する前記請求項の何れかに記載の方法。
【請求項１３】
ウェブサイトなど情報の集合の候補リストを特定し；
候補とした各々の集合についてコンテンツプロファイルを獲得し；
第１候補のプロファイルをその他の候補のプロファイルとそれぞれ対比して、集合同士の類似性評価を獲得し、
各識別子は、各々が特定する集合と第１候補のプロファイルの類似性評価または表示と共に、１つの集合を特定する複数の識別子を提供できるように構成した類似のウェブサイトまたはその他の情報の集合を特定するためのシステム。
【請求項１４】
各集合がウェブサイトのページで構成される請求項１３に記載のシステム。
【請求項１５】
各集合識別子がユニフォームリソースロケータである請求項１４に記載のシステム。
【請求項１６】
ウェブサイトの各ページを分析のためダウンロードできるように構成した請求項１４または１５に記載のシステム。
【請求項１７】
集合のテキストの各グループについて分析を行ってキートピックを特定し；特定したキートピックへ重要性評価を付与し；該評価を使用し、複数のトピック識別子と特定した各トピックの集合に対する重要性表示とを含有するトピックプロファイルを作成できるように構成した請求項１３〜１６の何れかに記載のシステム。
【請求項１８】
集合のプロファイル間に共通するトピックの数をカウントできるように構成した請求項１７に記載のシステム。
【請求項１９】
集合のプロファイル間に共通する各キートピックの重要度評価を比較できるように構成した請求項１７または１８に記載のシステム。
【請求項２０】
集合のプロファイル間に共通する全トピックの集計的比較を計算できるように構成した請求項１６〜１９の何れかに記載のシステム。
【請求項２１】
集合の言語全体としての平均より出現頻度が高いトピックを選択できるように構成した請求項１７〜２０の何れかに記載のシステム。
【請求項２２】
プロファイルの重要なキーワードに無関係なトピックを廃棄できるように構成した請求項１７〜２１の何れかに記載のシステム。
【請求項２３】
プロファイル内で特定された複数のキートピックのそれぞれに関連する単語リストを決定し、各キートピックが、プロファイル内のキートピックの何れかと関連する単語リストに載っているかどうかを判定し、何れのキートピックの関連単語リストにも載っていない任意のキートピックを廃棄できるように構成した請求項１３〜２２の何れかに記載のシステム。
【手続補正書】
【提出日】平成19年4月27日(2007.4.27)
【手続補正１】
【補正対象書類名】特許請求の範囲
【補正対象項目名】全文
【補正方法】変更
【補正の内容】
【特許請求の範囲】
【請求項１】
ウェブサイトなど情報の集合の候補リストを特定し；
候補とした各々の集合についてコンテンツプロファイルを獲得し；
第１候補のプロファイルをその他の候補のプロファイルとそれぞれ対比して、集合同士の類似性評価を獲得し、
各識別子は、各々が特定する集合と第１候補のプロファイルの類似性評価または表示と共に、１つの集合を特定する複数の識別子を提供する工程から成る類似のウェブサイトまたはその他の情報の集合を特定するための方法。
【請求項２】
各集合がウエブサイトのページで構成される請求項１に記載の方法。
【請求項３】
各集合識別子がユニフォームリソースロケータである請求項１または２に記載の方法。
【請求項４】
ウェブサイトの各ページを分析のためダウンロードすること包含する請求項２または３に記載の方法。
【請求項５】
集合のプロファイルの獲得が、集合のテキストの各グループについて分析を行ってキートピックを特定し；特定したキートピックへ重要性評価を付与し；該評価を使用し、複数のトピック識別子と特定した各トピックの集合に対する重要性表示とを含有するトピックプロファイルを作成する工程から成る前記請求項の何れかに記載の方法。
【請求項６】
プロファイルの対比が、比較対象の集合プロファイル間に共通するトピックの数をカウントする工程から成る請求項５に記載の方法。
【請求項７】
プロファイルの対比が、比較対象の集合プロファイル間に共通する各キートピックの重要度評価を比較する工程から成る請求項６に記載の方法。
【請求項８】
プロファイルの対比が、比較対象の集合プロファイル間に共通する全トピックの集計的比較を計算する工程から成る請求項７に記載の方法。
【請求項９】
集合の言語全体としての平均より出現頻度が高いトピックを選択することを含む単語出現頻度の分析に基づいて、プロファイルを獲得する前記請求項の何れかに記載の方法。
【請求項１０】
プロファイルの重要なキーワードに無関係なトピックの廃棄を含む請求項９に記載の方法。
【請求項１１】
プロファイル内で特定された複数のキートピックのそれぞれに関連する単語リストを決定し、各キートピックが、プロファイル内のキートピックの何れかと関連する単語リストに載っているかどうかを判定し、何れのキートピックの関連単語リストにも載っていない任意のキートピックを廃棄することを包含する請求項１０記載の方法。
【請求項１２】
情報の集合が個人または法人と関連し、集合のプロファイル間の類似性評価を特定することで個人または法人間の類似性評価を提供する前記請求項の何れかに記載の方法。
【請求項１３】
ウェブサイトなど情報の集合の候補リストを特定し；
候補とした各々の集合についてコンテンツプロファイルを獲得し；
第１候補のプロファイルをその他の候補のプロファイルとそれぞれ対比して、集合同士の類似性評価を獲得し、
各識別子は、各々が特定する集合と第１候補のプロファイルの類似性評価または表示と共に、１つの集合を特定する複数の識別子を提供できるように構成した類似のウェブサイトまたはその他の情報の集合を特定するためのシステム。
【請求項１４】
各集合がウェブサイトのページで構成される請求項１３に記載のシステム。
【請求項１５】
各集合識別子がユニフォームリソースロケータである請求項１４に記載のシステム。
【請求項１６】
ウェブサイトの各ページを分析のためダウンロードできるように構成した請求項１４または１５に記載のシステム。
【請求項１７】
集合のテキストの各グループについて分析を行ってキートピックを特定し；特定したキートピックへ重要性評価を付与し；該評価を使用し、複数のトピック識別子と特定した各トピックの集合に対する重要性表示とを含有するトピックプロファイルを作成できるように構成した請求項１３〜１６の何れかに記載のシステム。
【請求項１８】
集合のプロファイル間に共通するトピックの数をカウントできるように構成した請求項１７に記載のシステム。
【請求項１９】
集合のプロファイル間に共通する各キートピックの重要度評価を比較できるように構成した請求項１７または１８に記載のシステム。
【請求項２０】
集合のプロファイル間に共通する全トピックの集計的比較を計算できるように構成した請求項１６〜１９の何れかに記載のシステム。
【請求項２１】
集合の言語全体としての平均より出現頻度が高いトピックを選択できるように構成した請求項１７〜２０の何れかに記載のシステム。
【請求項２２】
プロファイルの重要なキーワードに無関係なトピックを廃棄できるように構成した請求項１７〜２１の何れかに記載のシステム。
【請求項２３】
プロファイル内で特定された複数のキートピックのそれぞれに関連する単語リストを決定し、各キートピックが、プロファイル内のキートピックの何れかと関連する単語リストに載っているかどうかを判定し、何れのキートピックの関連単語リストにも載っていない任意のキートピックを廃棄できるように構成した請求項１３〜２２の何れかに記載のシステム。
【請求項２４】
ウェブサイトなど情報の集合の候補リストを特定し；
候補とした各々の集合についてコンテンツプロファイルを獲得し；
好ましいコンテンツプロファイルを定義し；
好ましいコンテンツプロファイルを各候補プロファイルとそれぞれ対比して、好ましいコンテンツプロファイルと各候補プロファイルの類似性評価を獲得し、
好ましいコンテンツプロファイルと各候補プロファイルの類似性評価または表示と共に、１つまたは複数の集合候補を特定する複数の識別子を提供する工程から成るウェブサイトまたはその他の情報の集合を特定するための方法。
【国際調査報告】
2007527558.tif 000019
2007527558.tif 000020
2007527558.tif 000021
2007527558.tif 000022
2007527558.tif 000023